(57)【要約】      （修正有）【課題】収集した尿液が逆流して回流することを防ぐことができる蓄尿袋の逆流防止手段を提供する。【解決手段】ガイド部材３と、スリーブ４と、浮き５とを含んで成る。該ガイド部材３が、一端に設けられた接続端と、他端に設けられた複数の孔３２を具えてなり、該スリーブ４が、該ガイド部材の接続端上に設けられ、該浮きがガイド部材内に設けられ、ベース５１の一端に設けられたガイド棒５２で組み合わせられ、蓄尿袋に尿液進入端を設ける。尿液が蓄尿袋に進入し、ガイド部材を通過すると、尿液の圧力で浮きがガイド部材の後方端から押されて離れ、尿液がスムーズに蓄尿袋内に進入する。さらに、尿液が充満すると、尿液の浮力で浮きが押されて移動し、浮きがガイド部材前方端のスリーブに当接して尿液がガイド部材から流出しなくなり、尿液が回流することを防ぐ。【選択図】図３
0003165878.tif 000002
【実用新案登録請求の範囲】
【請求項１】
ガイド部材と、スリーブと、浮きとを含んでなり、
該ガイド部材が、一端に設けられた接続端と、他端に設けられた複数の孔を具えてなり、
該スリーブが、該ガイド部材の接続端上に設けられ、
該浮きがガイド部材内に設けられ、ベースの一端に設けられたガイド棒で組み合わせられ、
蓄尿袋に尿液進入端が設けられ、尿液が蓄尿袋に進入し、ガイド部材を通過すると、尿液の圧力で浮きがガイド部材の後方端から押されて離れ、尿液がスムーズに蓄尿袋内に進入し、尿液が充満すると、尿液の浮力で浮きが押されて移動し、浮きがガイド部材前方端のスリーブに当接して尿液がガイド部材から流出しなくなる構造からなる蓄尿袋の逆流防止手段。
【請求項２】
前記スリーブが、軟性の材質から形成されることを特徴とする請求項１に記載の蓄尿袋の逆流防止手段。
【請求項３】
前記ベースが、ガイド棒の端面に設けられ円形に形成されることを特徴とする請求項１に記載の蓄尿袋の逆流防止手段。
【請求項４】
前記浮きがスリーブに当接すると、浮きのガイド棒がスリーブ内に位置することを特徴とする請求項１に記載の蓄尿袋の逆流防止手段。
【考案の詳細な説明】
【技術分野】
【０００１】
この考案は、逆流防止手段であって、特に尿液を収集し、蓄積することができる蓄尿袋の逆流防止手段に関する。
【背景技術】
【０００２】
一般に、自力で排尿できない患者、或いは障害者は、通常、携帯式の蓄尿袋で尿液を収集し、排尿の問題を解決している。
【０００３】
図１に開示するように、一般的に使用されている蓄尿袋１は、側面に設けられた接続座１１と、該接続座１１上に接続して設けられた導管１２と、を含んでなる。
【０００４】
該導管１２の他端は、人体に接続して患者、或いは障害者が導管１２が体内の尿液を蓄尿袋１内にガイドして収集蓄積する。
【０００５】
蓄尿袋１に尿液が充満した後、尿液を取り除く。
【０００６】
しかしながら、該蓄尿袋１には尿液の回流を防ぐ手段が何も設けられていない。
【０００７】
よって、蓄尿袋１を使用する場合には蓄尿袋１の置き方に注意しなければならず、傾斜させる、倒す状態にならないように、掛けた状態で設けなければならない。
【０００８】
導管１２の端縁部を上方に向けて蓄尿袋１が患者の膀胱の高さを超える、蓄尿袋１を押し圧してはならない。
【０００９】
そうでなければ蓄尿袋１内に蓄積された尿液が導管１２を経由して回流し、患者の膀胱が感染症にかかる危険性がある。
【００１０】
よって、従来の蓄尿袋１は改善すべき点があり、使用上不便であった。
【考案の開示】
【考案が解決しようとする課題】
【００１１】
この考案は、収集した尿液が逆流して回流することを防ぐことができる蓄尿袋の逆流防止手段を提供することを課題とする。
【課題を解決するための手段】
【００１２】
そこで、本考案者は従来の技術に見られる欠点に鑑みて鋭意研究を重ねた結果、ガイド部材と、スリーブと、浮きとを含んでなり、
該ガイド部材が、一端に設けられた接続端と、他端に設けられた複数の孔を具えてなり、
該スリーブが、該ガイド部材の接続端上に設けられ、
該浮きがガイド部材内に設けられ、ベースの一端に設けられたガイド棒で組み合わせられ、
蓄尿袋に尿液進入端が設けられ、尿液が蓄尿袋に進入し、ガイド部材を通過すると、尿液の圧力で浮きがガイド部材の後方端から押されて離れ、尿液がスムーズに蓄尿袋内に進入し、尿液が充満すると、尿液の浮力で浮きが押されて移動し、浮きがガイド部材前方端のスリーブに当接して尿液がガイド部材から流出しなくなり、尿液が回流することを防ぐ目的を達成することができる構造からなる蓄尿袋の逆流防止手段によって課題を解決できる点に着眼し、かかる知見に基づいて本考案を完成させた。
【００１３】
以下、この考案について具体的に説明する。
請求項１に記載する蓄尿袋の逆流防止手段は、ガイド部材と、スリーブと、浮きとを含んでなり、
該ガイド部材が、一端に設けられた接続端と、他端に設けられた複数の孔を具えてなり、
該スリーブが、該ガイド部材の接続端上に設けられ、
該浮きがガイド部材内に設けられ、ベースの一端に設けられたガイド棒で組み合わせられ、
蓄尿袋に尿液進入端が設けられ、尿液が蓄尿袋に進入し、ガイド部材を通過すると、尿液の圧力で浮きがガイド部材の後方端から押されて離れ、尿液がスムーズに蓄尿袋内に進入し、尿液が充満すると、尿液の浮力で浮きが押されて移動し、浮きがガイド部材前方端のスリーブに当接して尿液がガイド部材から流出しなくなり、尿液が回流することを防ぐ目的を達成することができる構造からなる。
【００１４】
請求項２に記載する蓄尿袋の逆流防止手段は、 請求項１におけるスリーブが、軟性の材質から形成される。
【００１５】
請求項３に記載する蓄尿袋の逆流防止手段は、 請求項１におけるベースが、ガイド棒の端面に設けられ円形に形成される。
【００１６】
請求項４に記載する蓄尿袋の逆流防止手段は、 請求項１における浮きがスリーブに当接すると、浮きのガイド棒がスリーブ内に位置する。
【考案の効果】
【００１７】
この考案の蓄尿袋の逆流防止手段は、確実に回流を防止し、着脱が簡単なため便利で実用的であるという効果を有する。
【考案を実施するための最良の形態】
【００１８】
この考案は、収集した尿液が逆流して回流することを防ぐことができる蓄尿袋の逆流防止手段であって、ガイド部材と、スリーブと、浮きとを含んでなり、
該ガイド部材が、一端に設けられた接続端と、他端に設けられた複数の孔を具えてなり、
該スリーブが、該ガイド部材の接続端上に設けられ、
該浮きがガイド部材内に設けられ、ベースの一端に設けられたガイド棒で組み合わせられ、
蓄尿袋に尿液進入端が設けられ、尿液が蓄尿袋に進入し、ガイド部材を通過すると、尿液の圧力で浮きがガイド部材の後方端から押されて離れ、尿液がスムーズに蓄尿袋内に進入し、尿液が充満すると、尿液の浮力で浮きが押されて移動し、浮きがガイド部材前方端のスリーブに当接して尿液がガイド部材から流出しなくなり、尿液が回流することを防ぐ目的を達成することができる構造からなる蓄尿袋の逆流防止手段の構造と特徴を詳述するために具体的な実施例を挙げ、図示を参照にして以下に説明する。
【実施例】
【００１９】
図２から図１１は、この考案の蓄尿袋の逆流防止手段を示したものである。
【００２０】
図面によれば、この考案の蓄尿袋の逆流防止手段２は、ガイド部材３と、スリーブ４と、浮き５とを含んでなる。
【００２１】
該ガイド部材３は、一端に設けられた接続端３１と、他端に設けられた複数の孔３２を含んでなる。
【００２２】
該スリーブ４は、軟性の材質から形成され、該ガイド部材３の接続端３１上に設けられる。
【００２３】
浮き５は、ガイド部材３の内部に設けられ、ベース５１の一端に設けられたガイド棒５２で組み合わせられる。
【００２４】
ベース５１は、ガイド棒５２の端面に設けられ、円形に形成される。
【００２５】
蓄尿袋６は、側面の接続座６１上のガイド管６２により接続座６１と離して設けられ、逆流防止手段２が、ガイド管６２の末端上のガイド接続体６２１内に嵌設される。
【００２６】
ガイド管６２は接続座６１上に挿設され、人体から排出された尿液６３がガイド管６２を経由してガイド管６２末端のガイド接続体６２１に達すると、スリーブ４に達し、尿液６３が進入した時に発生する圧力で浮き５がスリーブ４から離れる。
【００２７】
尿液６３がガイド部材３の他端の孔３２から流出して蓄尿袋６内に進入して蓄尿袋６に保存、収集される。
【００２８】
蓄尿袋６内の尿液６３が多すぎる、或いは蓄尿袋６が傾く、或いは外部から押し圧されると、接続座６１内に尿液６３が充満する。
【００２９】
尿液６３は、ガイド部材３の孔３２からガイド部材３内に進入する。
【００３０】
尿液６３がガイド部材３内に進入すると、尿液６３の浮力で浮き５が前方に移動し、浮き５のベース５１がスリーブ４に当接し、スリーブ４がふさがれた状態になる。
【００３１】
よって、尿液６３がガイド接続体６２１からガイド管６２内に回流せず、尿液６３が回流することを防ぐ目的を達成することができる。
【００３２】
浮き５が、尿液６３の浮力を受けてガイド部材３に向けて前方に移動すると、浮き５上のガイド棒５２にガイドされて浮き５がスムーズで確実にスリーブ４に当接する。
【００３３】
浮き５がスリーブ４に当接すると、浮き５のガイド棒５２がスリーブ４内に位置する。
【００３４】
ベース５１はガイド棒５２が設けられた端面を円形に形成し、スリーブ４が軟性の材質から形成される。
【００３５】
浮き５がスリーブ４に当接すると、両者がさらに緊密になり、両者の間の隙間が最小になり、尿液６３が回流することを確実に防ぐことができる。
【００３６】
この考案の蓄尿袋６に設けられる逆流防止手段２は、尿液６３が回流することを防ぐ目的を達成するだけでなく、該逆流防止手段２を蓄尿袋６のガイド管６２の一端に接続して使用してもよい。
【００３７】
よって、従来の蓄尿袋６にも設けることができるため、特殊な構造の蓄尿袋６を製造して逆流防止手段２を合わせる必要がなく、その他の加工を実施する必要がないため、蓄尿袋６に他のコストが発生することもない。
【００３８】
使用者にとっても非常に便利で設置が簡単ですばやくできるため、実用的である。
【００３９】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４０】
【図１】従来の蓄尿袋を示した斜視図である。
【図２】この考案の蓄尿袋の逆流防止手段を示した斜視図である。
【図３】この考案の蓄尿袋の逆流防止手段を示した分解図である。
【図４】この考案の蓄尿袋の逆流防止手段を示した断面図である。
【図５】この考案の蓄尿袋の逆流防止手段の第一の実施形態を示した説明図である。
【図６】この考案の蓄尿袋の逆流防止手段の第二の実施形態を示した説明図である。
【図７】この考案の蓄尿袋の逆流防止手段の第三の実施形態を示した説明図である。
【図８】この考案の蓄尿袋の逆流防止手段の第四の実施形態を示した説明図である。
【図９】この考案の蓄尿袋の逆流防止手段の第五の実施形態を示した説明図である。
【図１０】この考案の蓄尿袋の逆流防止手段の第六の実施形態を示した説明図である。
【図１１】この考案の蓄尿袋の逆流防止手段の第七の実施形態を示した説明図である。
【符号の説明】
【００４１】
１       蓄尿袋
１１     接続座
１２     導管
２       逆流防止手段
３       ガイド部材
３１     接続端
３２     孔
４       スリーブ
５       浮き
５１     ベース
５２     ガイド棒
６       蓄尿袋
６１     接続座
６２     ガイド管
６２１   ガイド接続体
６３     尿液
【図１】
0003165878.tif 000003
【図２】
0003165878.tif 000004
【図３】
0003165878.tif 000005
【図４】
0003165878.tif 000006
【図５】
0003165878.tif 000007
【図６】
0003165878.tif 000008
【図７】
0003165878.tif 000009
【図８】
0003165878.tif 000010
【図９】
0003165878.tif 000011
【図１０】
0003165878.tif 000012
【図１１】
0003165878.tif 000013